(57)【要約】【課題】隣接階調レベル間において長い時間のサブフィールドの駆動内容が異なる場合であっても、その駆動内容の違いに起因するディスクリネーションの表示に与える影響を抑えること。【解決手段】本発明の電気光学装置は、複数の画素と、サブフィールド毎に当該画素を明状態または暗状態に駆動する駆動部とを具備し、特定の階調レベルが指定された場合に、少なくとも一の画素と、当該一の画素に隣接する画素とは１フレーム中の駆動内容が異なる。特定の階調レベルは、隣接する暗い側の階調レベルから特定の階調レベルに変化した場合において、一の画素の駆動内容が、暗状態から明状態に変化したサブフィールドのうち最も長い時間のサブフィールドと、変化後の明状態であるサブフィールドのうち最も長い時間のサブフィールドとが一致する関係を満たし、隣接する画素の駆動内容が、当該関係を満たさない階調レベルを示す。【選択図】図９
2012226041.tif 000002
【特許請求の範囲】
【請求項１】
各々が液晶素子を有する複数の画素と、
前記画素に対して指定される階調レベルに応じて、１フレームを分割したサブフィールド毎に当該画素を明状態または暗状態に駆動する駆動部と
を具備し、
１フレームにおける少なくとも一の前記サブフィールドの時間は他の前記サブフィールドの時間とは異なり、
前記駆動部は、前記複数の画素に特定の階調レベルが指定された場合に、少なくとも一の前記画素と、当該一の画素に隣接する前記画素とは１フレーム中の駆動内容が異なるように、前記画素を駆動し、
前記特定の階調レベルは、
隣接する暗い側の階調レベルから当該特定の階調レベルに変化した場合において、前記一の画素の前記駆動内容が、暗状態から明状態に変化したサブフィールドのうち最も長い時間のサブフィールドと、変化後の当該駆動内容が明状態であるサブフィールドのうち最も長い時間のサブフィールドとが一致する関係を満たし、前記隣接する画素の前記駆動内容が、当該関係を満たさない階調レベルを示す
ことを特徴とする電気光学装置。
【請求項２】
各々が液晶素子を有する複数の画素と、
前記画素に対して指定される階調レベルに応じて、１フレームを分割したサブフィールド毎に当該画素を明状態または暗状態に駆動する駆動部と
を具備し、
１フレームにおける少なくとも一の前記サブフィールドの時間は他の前記サブフィールドの時間とは異なり、
前記駆動部は、前記複数の画素に特定の階調レベルが指定された場合に、少なくとも一の前記画素と、当該一の画素に隣接する前記画素とは１フレーム中の駆動内容が異なるように、前記画素を駆動し、
前記特定の階調レベルは、
隣接する暗い側の階調レベルから当該特定の階調レベルに変化した場合において、前記一の画素の前記駆動内容が、変化後の当該駆動内容が明状態であるサブフィールドの時間の合計に対する前記駆動内容が変化したサブフィールドの時間の合計の割合が予め決められた割合以上になる関係を満たし、前記隣接する画素の前記駆動内容が、当該関係を満たさない階調レベルを示す
ことを特徴とする電気光学装置。
【請求項３】
前記液晶素子は、ノーマリーブラックモードで駆動され、
前記特定の階調レベルにおける１フレーム中の明状態の時間は、当該階調レベルに隣接する暗い側と明るい側との階調レベルにおける１フレーム中の明状態の時間の平均よりも長くなるように決められている
ことを特徴とする請求項１または請求項２に記載の電気光学装置。
【請求項４】
前記液晶素子は、ノーマリーホワイトモードで駆動され、
前記特定の階調レベルにおける１フレーム中の明状態の時間は、当該階調レベルに隣接する暗い側と明るい側との階調レベルにおける１フレーム中の明状態の時間の平均よりも短くなるように決められている
ことを特徴とする請求項１または請求項２に記載の電気光学装置。
【請求項５】
前記液晶素子は、ノーマリーブラックモードで駆動され、
前記特定の階調レベルにおける１フレーム中の明状態の時間は、当該階調レベルに隣接する明るい側の階調レベルにおける１フレーム中の明状態の時間よりも長くなるように決められている
ことを特徴とする請求項１または請求項２に記載の電気光学装置。
【請求項６】
前記液晶素子は、ノーマリーホワイトモードで駆動され、
前記特定の階調レベルにおける１フレーム中の明状態の時間は、当該階調レベルに隣接する暗い側の階調レベルにおける１フレーム中の明状態の時間よりも短くなるように決められている
ことを特徴とする請求項１または請求項２に記載の電気光学装置。
【請求項７】
前記駆動部は、前記複数の画素における前記少なくとも一の画素の位置を、１フレームまたは複数フレーム毎に変化させるように、前記画素を駆動する
ことを特徴とする請求項１乃至請求項６のいずれかに記載の電気光学装置。
【請求項８】
前記駆動部は、前記複数の画素に前記特定の階調レベルが指定された場合に、全ての前記画素を、隣接する前記画素とは１フレーム中の前記駆動内容が異なるように駆動する
ことを特徴とする請求項１乃至請求項７のいずれかに記載の電気光学装置。
【請求項９】
前記駆動部は、前記複数の画素に前記特定の階調レベルが指定された場合に、前記少なくとも一の画素における明状態の時間と、前記隣接する画素における明状態の時間との差は、これらの和に対して１０％以内となるように、前記画素を駆動する
ことを特徴とする請求項１乃至請求項８のいずれかに記載の電気光学装置。
【発明の詳細な説明】
【技術分野】
【０００１】
本発明は、複数のサブフィールドの各々において、画素をオンまたはオフのいずれかで駆動する技術に関する。
【背景技術】
【０００２】
液晶素子などの表示素子を画素として有する電気光学装置において中間階調を表現するために、サブフィールド駆動を用いた技術が提案されている。サブフィールド駆動を用いた技術とは、フレーム（フィールド）を分割した複数のサブフィールド毎に、画素をオンまたはオフのいずれか一方で駆動するとともに、１フレームにおけるオンとオフに駆動された時間の割合を変化させることによって中間階調を表現する技術である（例えば、特許文献１）。
【先行技術文献】
【特許文献】
【０００３】
【特許文献１】特開２００７−１４８４１７号公報
【発明の概要】
【発明が解決しようとする課題】
【０００４】
特許文献１に記載された技術のように、サブフィールド駆動においては、各サブフィールドにおける画素の駆動内容（オンまたはオフ）を１フレーム分規定したサブフィールドコード（以下、ＳＦコードという）が用いられる。このＳＦコードに基づいて、各画素の液晶素子にオン電圧またはオフ電圧が印加される。隣接した画素において指定された階調レベルが異なる場合、それぞれのＳＦコードのうち駆動内容が異なるサブフィールドの期間においては、隣接画素間においてオン電圧とオフ電圧との差から横電界が発生する。この横電界の影響により隣接画素間にはディスクリネーションが発生し、表示に影響を与える。そのため、隣接した画素において駆動内容が異なるサブフィールドが多いほど、隣接画素間に発生するディスクリネーションの表示への影響が大きくなる。
【０００５】
ここで、少ないサブフィールド数で多くの階調レベルの表現をする場合には、各サブフィールドの時間を大きく異ならせて、サブフィールドの時間に重み付けする必要がある。このような場合には、隣接階調レベル間において長い時間のサブフィールドの駆動内容が異なる場合もある。隣接する画素の階調レベルは隣接する階調レベルとなることがあるが、上記の場合には、横電界が発生する時間も長くなり、隣接画素間に発生するディスクリネーションの表示に与える影響が大きくなる。
【０００６】
本発明は、上述した事情に鑑みてなされたものであり、その目的の一つは、隣接階調レベル間において長い時間のサブフィールドの駆動内容が異なる場合であっても、その駆動内容の違いに起因するディスクリネーションの表示に与える影響を抑えることにある。
【課題を解決するための手段】
【０００７】
上述の課題を解決するため、本発明は、各々が液晶素子を有する複数の画素と、前記画素に対して指定される階調レベルに応じて、１フレームを分割したサブフィールド毎に当該画素を明状態または暗状態に駆動する駆動部とを具備し、１フレームにおける少なくとも一の前記サブフィールドの時間は他の前記サブフィールドの時間とは異なり、前記駆動部は、前記複数の画素に特定の階調レベルが指定された場合に、少なくとも一の前記画素と、当該一の画素に隣接する前記画素とは１フレーム中の駆動内容が異なるように、前記画素を駆動し、前記特定の階調レベルは、隣接する暗い側の階調レベルから当該特定の階調レベルに変化した場合において、前記一の画素の前記駆動内容が、暗状態から明状態に変化したサブフィールドのうち最も長い時間のサブフィールドと、変化後の当該駆動内容が明状態であるサブフィールドのうち最も長い時間のサブフィールドとが一致する関係を満たし、前記隣接する画素の前記駆動内容が、当該関係を満たさない階調レベルを示すことを特徴とする電気光学装置を提供する。
この電気光学装置によれば、隣接階調レベル間において長い時間のサブフィールドの駆動内容が異なる場合であっても、その駆動内容の違いに起因するディスクリネーションの表示に与える影響を抑えることができる。
【０００８】
また、本発明は、各々が液晶素子を有する複数の画素と、前記画素に対して指定される階調レベルに応じて、１フレームを分割したサブフィールド毎に当該画素を明状態または暗状態に駆動する駆動部とを具備し、１フレームにおける少なくとも一の前記サブフィールドの時間は他の前記サブフィールドの時間とは異なり、前記駆動部は、前記複数の画素に特定の階調レベルが指定された場合に、少なくとも一の前記画素と、当該一の画素に隣接する前記画素とは１フレーム中の駆動内容が異なるように、前記画素を駆動し、前記特定の階調レベルは、隣接する暗い側の階調レベルから当該特定の階調レベルに変化した場合において、前記一の画素の前記駆動内容が、変化後の当該駆動内容が明状態であるサブフィールドの時間の合計に対する前記駆動内容が変化したサブフィールドの時間の合計の割合が予め決められた割合以上になる関係を満たし、前記隣接する画素の前記駆動内容が、当該関係を満たさない階調レベルを示すことを特徴とする電気光学装置を提供する。
この電気光学装置によれば、隣接階調レベル間において長い時間のサブフィールドの駆動内容が異なる場合であっても、その駆動内容の違いに起因するディスクリネーションの表示に与える影響を抑えることができる。
【０００９】
また、別の好ましい態様において、前記液晶素子は、ノーマリーブラックモードで駆動され、前記特定の階調レベルにおける１フレーム中の明状態の時間は、当該階調レベルに隣接する暗い側と明るい側との階調レベルにおける１フレーム中の明状態の時間の平均よりも長くなるように決められていることを特徴とする。
この電気光学装置によれば、ノーマリーブラックモードにおいて、連続した画素に同一の階調レベルが指定された場合に、連続した画素間においてディスクリネーションが生じて透過率が減少しても、これらの画素全体として指定された階調レベルの表現をすることができる。
【００１０】
また、別の好ましい態様において、前記液晶素子は、ノーマリーホワイトモードで駆動され、前記特定の階調レベルにおける１フレーム中の明状態の時間は、当該階調レベルに隣接する暗い側と明るい側との階調レベルにおける１フレーム中の明状態の時間の平均よりも短くなるように決められていることを特徴とする。
この電気光学装置によれば、ノーマリーホワイトモードにおいて、連続した画素に同一の階調レベルが指定された場合に、連続した画素間においてディスクリネーションが生じて透過率が減少しても、これらの画素全体として指定された階調レベルの表現をすることができる。
【００１１】
また、別の好ましい態様において、前記液晶素子は、ノーマリーブラックモードで駆動され、前記特定の階調レベルにおける１フレーム中の明状態の時間は、当該階調レベルに隣接する明るい側の階調レベルにおける１フレーム中の明状態の時間よりも長くなるように決められていることを特徴とする。
この電気光学装置によれば、ノーマリーブラックモードにおいて、連続した画素に同一の階調レベルが指定された場合に、連続した画素間においてディスクリネーションが生じて透過率が減少しても、これらの画素全体として指定された階調レベルの表現をすることができる。
【００１２】
また、別の好ましい態様において、前記液晶素子は、ノーマリーホワイトモードで駆動され、前記特定の階調レベルにおける１フレーム中の明状態の時間は、当該階調レベルに隣接する暗い側の階調レベルにおける１フレーム中の明状態の時間よりも短くなるように決められていることを特徴とする。
この電気光学装置によれば、ノーマリーホワイトモードにおいて、連続した画素に同一の階調レベルが指定された場合に、連続した画素間においてディスクリネーションが生じて透過率が減少しても、これらの画素全体として指定された階調レベルの表現をすることができる。
【００１３】
また、別の好ましい態様において、前記駆動部は、前記複数の画素における前記少なくとも一の画素の位置を、１フレームまたは複数フレーム毎に変化させるように、前記画素を駆動することを特徴とする。
この電気光学装置によれば、隣接階調レベル間において長い時間のサブフィールドの駆動内容が異なる場合であっても、その駆動内容の違いに起因するディスクリネーションの表示に与える影響を、効果的に抑えることができる。
【００１４】
また、別の好ましい態様において、前記駆動部は、前記複数の画素に前記特定の階調レベルが指定された場合に、全ての前記画素を、隣接する前記画素とは１フレーム中の前記駆動内容が異なるように駆動することを特徴とする。
この電気光学装置によれば、隣接階調レベル間において長い時間のサブフィールドの駆動内容が異なる場合であっても、その駆動内容の違いに起因するディスクリネーションの表示に与える影響を、効果的に抑えることができる。
【００１５】
また、別の好ましい態様において、前記駆動部は、前記複数の画素に前記特定の階調レベルが指定された場合に、前記少なくとも一の画素における明状態の時間と、前記隣接する画素における明状態の時間との差は、これらの和に対して１０％以内となるように、前記画素を駆動することを特徴とする。
この電気光学装置によれば、階調レベルを良好に表現した表示を行うことができる。
【図面の簡単な説明】
【００１６】
【図１】実施形態におけるプロジェクターの構成を示す平面図である。
【図２】実施形態におけるプロジェクターの機能構成を説明する図である。
【図３】実施形態における表示パネルおよび駆動回路の構成を説明する図である。
【図４】実施形態における画素の等価回路を説明する図である。
【図５】実施形態における駆動回路に供給される信号を説明する図である。
【図６】実施形態における各画素に適用されるＬＵＴを説明する図である。
【図７】実施形態におけるＬＵＴを説明する図である。
【図８】実施形態における最大重み変化部の特徴を説明する図である。
【図９】実施形態におけるディスクリネーションの発生態様を説明する図である。
【図１０】変形例１におけるディスクリネーションの発生態様を説明する図である。
【図１１】変形例２における各画素に適用されるＬＵＴを説明する図である。
【発明を実施するための形態】
【００１７】
＜実施形態＞
［プロジェクター２０００の構成］
図１は、実施形態におけるプロジェクター２０００の構成を示す平面図である。プロジェクター２０００は、ハロゲンランプ等の白色光源となるランプユニット２２０を有する。ランプユニット２２０から射出された投射光は、第１マルチレンズ２３０３、第２マルチレンズ２３０４、偏光変換素子２３０５、重畳レンズ２３０６を通過し、２枚のダイクロイックミラー２３０１および３枚のミラー２３０２によってＲ（赤）、Ｇ（緑）、Ｂ（青）の３原色に分離される。分離された各光は、集光レンズ２３０８を介して、各原色に対応する表示パネル１００Ｒ、１００Ｇおよび１００Ｂにそれぞれ導かれる。なお、Ｂ光は、Ｒ光、Ｇ光と比較すると、光路が長いことによる損失を防ぐために、３枚のレンズ２３０７を用いたリレーレンズ系を介して導かれる。
【００１８】
表示パネル１００Ｒ、１００Ｇ、１００Ｂは、光を変調する液晶パネルなどのライトバルブである。表示パネル１００Ｒ、１００Ｇ、１００Ｂは、後述するように、Ｒ、Ｇ、Ｂの各色に対応する映像信号Ｖｉｄを画素毎に決められたＬＵＴ（Look up Table）を参照して変換したＳＦコードに基づいてそれぞれ駆動される。これにより、表示パネル１００Ｒ、１００Ｇ、１００Ｂには、各色の縮小画像が形成される。表示パネル１００Ｒ、１００Ｇ、１００Ｂによってそれぞれ形成された縮小画像、すなわち、変調光は、ダイクロイックプリズム２４０に３方向から入射する。そして、このダイクロイックプリズム２４０において、Ｒ光およびＢ光は９０度に反射する一方、Ｇ光は直進する。したがって、各色の画像が合成された後、スクリーン３０００には、投射レンズ２５０によってカラー画像が投射されることとなる。
【００１９】
なお、表示パネル１００Ｒ、１００Ｇ、１００Ｂには、ダイクロイックミラー２３０１によって、Ｒ色、Ｇ色、Ｂ色のそれぞれに対応する光が入射するので、カラーフィルタを設ける必要はない。また、表示パネル１００Ｒ、１００Ｂの透過像は、ダイクロイックプリズム２４０により反射した後に投射されるのに対し、表示パネル１００Ｇの透過像はそのまま投射されるので、表示パネル１００Ｒ、１００Ｂによる水平走査方向は、表示パネル１００Ｇによる水平走査方向と逆向きにして、左右を反転させた像を表示する構成となっている。
【００２０】
［機能構成］
図２は、実施形態におけるプロジェクター２０００の機能構成を説明する図である。プロジェクター２０００は、表示パネル１００Ｒ、１００Ｇ、１００Ｂに縮小画像を形成させるための駆動部であるコントローラー１０と、表示パネル１００Ｒ、１００Ｇ、１００Ｂと、複数のＬＵＴを有する。コントローラー１０は、タイミング制御回路１１、画質調整部１２、ＳＦコード変換部１３、メモリー制御部１４、メモリー１５、駆動回路１６Ｒ、１６Ｇ、１６Ｂを有する。複数のＬＵＴは、この例においては、ＬＵＴ（Ａ）３１およびＬＵＴ（Ｂ）３２である。
なお、表示パネル１００Ｒ、１００Ｇ、１００Ｂは、各々同じ構成であるため、以下の説明において特にそれぞれを区別する必要のない場合には、表示パネル１００と記す。
【００２１】
コントローラー１０には、図示省略した上位回路から映像信号Ｖｉｄおよび同期信号Ｓｙｎｃが供給される。映像信号Ｖｉｄは、画像を３つの原色（赤（Ｒ）色、緑（Ｇ）色、青（Ｂ）色の三成分）で表す信号である。映像信号Ｖｉｄは、画像における各画素の階調レベルをＲ、Ｇ、Ｂの色毎にそれぞれ規定する。なお、映像信号Ｖｉｄは、同期信号Ｓｙｎｃに含まれる垂直走査信号、水平走査信号などにしたがって走査される画素の順で供給される。
【００２２】
タイミング制御回路１１は、同期信号Ｓｙｎｃに基づいて各部を制御する。
画質調整部１２は、映像信号Ｖｉｄで規定される画像の明るさおよび色合いなどを、表示パネル１００の表示特性、図示省略した各種操作子を用いて設定された内容に合わせて前処理するとともに、処理した映像信号Ｄａを出力する。なお、この例において、上位回路から供給される映像信号Ｖｉｄは、アナログ信号でもあってもよいし、デジタル信号でもあってもよいが、アナログ信号であれば、画質調整部１２によってデジタル信号に変換される。
なお、この例においては、映像信号Ｄａを８ビットとして、各画素において表現すべき階調レベルを十進値で、最も暗い「０」から最も明るい「２５５」まで「１」刻みで２５６段階の階調レベルを指定している。
【００２３】
ＳＦコード変換部１３は、ＬＵＴ（Ａ）３１およびＬＵＴ（Ｂ）３２を参照して、映像信号Ｄａの階調レベルを、Ｒ成分、Ｇ成分、Ｂ成分の色毎にＳＦコードＳｃｒ、Ｓｃｇ、Ｓｃｂに変換して出力するものである。ＳＦコード変換部１３は、ＬＵＴ（Ａ）３１およびＬＵＴ（Ｂ）３２のうち、各画素に対応して予め決められたいずれか一方を参照する。このＳＦコードＳｃｒ、Ｓｃｇ、Ｓｃｂは、ビットｃ１、ｃ２、・・・ｃ１６の１６ビットのブロックを２回繰り返した３２ビットで構成される。各ビットは各サブフィールドにおける画素の駆動内容を示し、オンに駆動するサブフィールドを「１」、オフに駆動するサブフィールドを「０」として示している。すなわち、ＳＦコードは、１フレームを３２のサブフィールドに分割した各サブフィールドにおける画素の駆動内容を示している。なお、この例においては、後述するように、液晶素子１２０は、ノーマリーブラックモードでの駆動されるものとする。したがって、オンに駆動するサブフィールドは明状態となり、オフに駆動するサブフィールドは暗状態となる。
【００２４】
メモリー制御部１４は、タイミング制御回路１１による制御にしたがって、ＳＦコードＳｃｒ、Ｓｃｇ、Ｓｃｂをメモリー１５に書きこむ。また、メモリー制御部１４は、タイミング制御回路１１による制御にしたがって、メモリー１５に記憶されたＳＦコードＳｃｒ、Ｓｃｇ、Ｓｃｂを読み出し、読み出したＳＦコードのビットのうち、表示パネル１００における駆動タイミング（サブフィールド）に対応するビットをＳＦビットＳｂｒ、Ｓｂｇ、Ｓｂｂとして出力する。例えば、表示パネル１００における駆動タイミングが１３番目のサブフィールドとなるＳＦビットは、ビットｃ１３となる。
【００２５】
［表示パネル１００Ｒおよび駆動回路１６Ｒの構成］
図３は、実施形態における表示パネル１００Ｒおよび駆動回路１６Ｒの構成を説明する図である。表示パネル１００Ｒは、例えばアクティブ・マトリクス型であって透過型の液晶表示パネルであり、画素毎に透過率を変調した透過像を生成するものである。
図３に示されるように、表示パネル１００Ｒには、例えば１、２、３、…、１０８０行の走査線１１２が図において横方向に延在するように設けられ、また、１、２、３、…、１９２０列のデータ線１１４が図において縦方向に延在するように、かつ、各走査線１１２と互いに電気的に絶縁を保つように設けられている。そして、１０８０行の走査線１１２と１９２０列のデータ線１１４との交点のそれぞれに対応して、画素１１０がそれぞれ配列している。したがって、画素１１０が縦１０８０行×横１９２０列でマトリクス状に配列することになる。
【００２６】
表示パネル１００Ｒの周辺には、駆動回路１６Ｒが設けられている。駆動回路１６Ｒは、走査線駆動回路１６１とデータ線駆動回路１６２とを有する。走査線駆動回路１６１は、１〜１０８０行の走査線１１２にそれぞれ走査信号を供給する。この例においては、走査線駆動回路１６１は、タイミング制御回路１１から供給される制御信号Ｙｃｔによって走査線１１２を１、２、３、…、１０８０行目という順番で選択するとともに、選択した走査線への走査信号を選択電圧とする一方、それ以外の、非選択に係る走査線への走査信号を非選択電圧とする。なお、図３において、１、２、３、…、１０８０行目の走査線１１２に供給される走査信号をそれぞれＧ１、Ｇ２、Ｇ３、・・・Ｇ１０８０と表記している。
【００２７】
データ線駆動回路１６２は、タイミング制御回路１１から供給される制御信号Ｘｃｔにしたがって、１〜１９２０列目のデータ線１１４の各々にそれぞれデータ信号を供給する。データ線駆動回路１６２は、メモリー制御部１４から供給されるＳＦビットＳｂｒに応じたデータ信号を供給する。なお、図３において、１、２、３、…、１９２０列目のデータ線１１４に供給されるデータ信号を、それぞれｄ１、ｄ２、ｄ３、・・・ｄ１９２０と表記している。
【００２８】
ここでは、表示パネル１００Ｒおよび駆動回路１６Ｒを例として説明し、同様な構成である表示パネル１００Ｇ、１００Ｂおよび駆動回路１６Ｇ、１６Ｂについては、供給される信号が異なるだけであるため、その説明を省略する。なお、表示パネル１００Ｇのデータ線駆動回路１６２は、メモリー制御部１４からＳＦビットＳｂｇが供給され、ＳＦビットＳｂｒに応じたデータ信号を供給する。また、表示パネル１００Ｂのデータ線駆動回路１６２は、メモリー制御部１４からＳＦビットＳｂｂが供給され、ＳＦビットＳｂｂに応じたデータ信号を供給する。
【００２９】
［画素１１０の構成］
図４は、実施形態における画素１１０の等価回路を説明する図である。画素１１０は、画素電極１１８とコモン電極１０８とで液晶１０５を挟持した液晶素子１２０と、走査線１１２に選択電圧が印加されたときにデータ線１１４と画素電極１１８との間で導通状態となり、非選択電圧が印加されたときに非導通状態となる薄膜トランジスター（Thin Film Transistor：以下単に「ＴＦＴ」と表記する）１１６とを有する構成である。
コモン電極１０８は各画素にわたって共通であり、コントローラー１０に含まれる図示省略した回路によって電圧ＬＣｃｏｍが印加される。また、画素１１０では、液晶素子１２０に対して並列に補助容量（蓄積容量）１２５が設けられる。この補助容量１２５は、一端が画素電極１１８に接続され、他端が容量線１１５に共通接続されている。コントローラー１０に含まれる図示省略した回路によって、容量線１１５は時間的に一定の電圧に保たれている。
【００３０】
このような構成において、画素１１０では、走査線１１２に選択電圧が印加されたときにＴＦＴ１１６が導通状態になって、データ線１１４に供給されたデータ信号の電圧が画素電極１１８に印加される。一方、走査線１１２への選択電圧の印加が終了して非選択電圧が印加されたときにＴＦＴ１１６が非導通状態になるが、液晶素子１２０は、ＴＦＴ１１６の導通状態であったときに画素電極１１８に印加されたデータ信号の電圧を、その容量性によって走査線１１２に選択電圧が再び印加されるまで保持する。
【００３１】
ところで、画素１１０はオンまたはオフのいずれかで駆動されるため、データ信号は、ＳＦビットの「１」に応じたオンレベル、または「０」に応じたオフレベルのいずれかとなる。この例においては、液晶素子１２０がノーマリーブラックモードで駆動される。そのため、オンレベルとは、液晶素子１２０に電圧（例えば５Ｖ）を印加して明状態にさせるデータ信号をいい、オフレベルとは、液晶素子１２０に電圧を印加しないで（または、印加電圧をゼロ近傍とする電圧を印加して）暗状態にさせるデータ信号をいう。
この例においては、液晶素子１２０を交流駆動するため、オンレベルは、振幅中心電圧に対して高位側とする正極性と、振幅中心電圧に対して低位側とする負極性との２種類が必要となる。なお、交流駆動しない場合には、一方の極性のみでよい。
一方、オフレベルは、液晶素子１２０に電圧を印加しないのであれば、コモン電極１０８に印加される電圧ＬＣｃｏｍの１種類であり、極性に無関係である。液晶素子１２０を交流駆動し、印加電圧をゼロ近傍とする電圧を印加するのであれば、振幅中心電圧に対して正極性と、負極性との２種類が必要となる。なお、交流駆動しない場合には、一方の極性のみでよい。
【００３２】
なお、本説明において、走査信号やデータ信号の電圧については、図示省略した接地電位ＧＮＤを電圧ゼロの基準としている。ただし、液晶素子１２０の印加電圧については、コモン電極１０８の電圧ＬＣｃｏｍと画素電極１１８との電位差とする。また、コモン電極１０８に印加される電圧ＬＣｃｏｍは、上記振幅中心電圧と同電圧と考えてよい。ただし、ｎチャネル型のＴＦＴ１１６のオフリーク等を考慮して、電圧ＬＣｃｏｍを振幅中心電圧よりも低位となるように調整されることがある。
【００３３】
［画素１１０の駆動態様］
図５は、実施形態における駆動回路１６Ｒ、１６Ｇ、１６Ｂに供給される信号を説明する図である。ここでは、供給される信号のうち、制御信号Ｙｃｔに含まれる垂直同期信号Ｖｓｙｎｃ、およびスタートパルスＤｙ、制御信号Ｘｃｔに含まれる極性指定信号Ｆｒｐについて説明する。
図５（ａ）に示すように、垂直同期信号Ｖｓｙｎｃは、表示の単位期間である１フレームを規定する信号である。この例においては、１フレームは１６．６７ｍｓ（６０Ｈｚ）に相当する。極性指定信号Ｆｒｐは、液晶素子１２０を交流駆動するときのオンレベルを正極性とする期間と負極性とする期間を規定する信号である。この極性指定信号Ｆｒｐによっては、１フレームの前半を正極性の期間、後半を負極性の期間として規定する。これにより液晶素子１２０に印加される電圧の極性バランスをとることができる。
【００３４】
スタートパルスＤｙは、各サブフィールドの期間を規定する信号である。スタートパルスＤｙは、この例においては、８パルスを１周期として１フレームにつき４回繰り返し、１フレームでは３２パルスとなる。したがって、１フレームは３２のサブフィールドに分割されている。以下、この１周期の８サブフィールド（図５（ａ）における「８ＳＦ」）を１ブロックといい、１フレーム中の各ブロックを期間の最初から第１ブロック、第２ブロック、第３ブロック、第４ブロック（図５（ａ）における「第１Ｂ」、「第２Ｂ」、「第３Ｂ」、「第４Ｂ」）という。
スタートパルスＤｙにおける１周期の８パルスは、それぞれのパルス間隔が異なり、各間隔がサブフィールドの期間を示し、以下、各サブフィールドをＳＦ１，ＳＦ２、・・・、ＳＦ８という。この例においては、ＳＦ１、ＳＦ２、・・・、ＳＦ８の時間は、図５（ｂ）に示すように、１．４０ｍｓ、０．９０ｍｓ、０．７０ｍｓ、０．５０ｍｓ，０．３２ｍｓ、０．２０ｍｓ、０．１０ｍｓ、０．０５ｍｓと規定され、時間に重み付けがされている。この例においては、１周期のうち前の期間に位置するサブフィールドほど長い時間として規定されている。
なお、各画素におけるサブフィールドのオン駆動（オンレベルの駆動電圧を印加）またはオフ駆動（オフレベルの駆動電圧を印加）は、走査線の選択時になされる。そのため、厳密にいえば、各画素における１フレーム（および各サブフィールド）のタイミングは、時間的にみて走査線毎に異なる。
【００３５】
上述したように、画素１１０において、走査線１１２が選択されたときに画素電極１１８に印加されたオンレベルまたはオフレベルは、走査線１１２が再び選択されるまで保持される。したがって、画素１１０を、あるサブフィールドに応じた期間だけオンまたはオフ駆動の状態にさせるためには、走査線を選択して、液晶素子１２０にＳＦビットに応じた（データ信号の）オンレベルまたはオフレベルを書き込んでから、再び当該走査線を選択するまでの期間を、当該サブフィールドに応じた期間とすればよいことになる。
【００３６】
図６は、実施形態における各画素１１０に適用されるＬＵＴを説明する図である。上述したように、ＳＦコード変換部１３は、画素毎にＬＵＴ（Ａ）３１およびＬＵＴ（Ｂ）３２のいずれか一方を参照して、映像信号ＤａをＳＦコードに変換する。図６は、このときに参照するＬＵＴを示すものであり、「Ａ」は、ＬＵＴ（Ａ）３１を参照して得られたＳＦコードに基づいて駆動される画素１１０（以下、画素１１０Ａという）を示し、「Ｂ」は、ＬＵＴ（Ｂ）３２を参照して得られたＳＦコードに基づいて駆動される画素１１０（以下、画素１１０Ｂという）を示している。
【００３７】
この例においては、画素１１０Ａは、奇数行の走査線と奇数列のデータ線との交点に対応して設けられた画素１１０、および偶数行の走査線と偶数列のデータ線との交点に対応して設けられた画素１１０である。一方、画素１１０Ｂは、画素１１０Ａ以外の画素１１０である。すなわち、画素１１０Ｂは、奇数行の走査線と偶数列のデータ線との交点に対応して設けられた画素１１０、および偶数行の走査線と奇数列のデータ線との交点に対応して設けられた画素１１０である。このように、画素１１０Ａに隣接する画素１１０は、画素１１０Ｂになるように配置されている。すなわち、画素１１０Ａと画素１１０Ｂとは市松状に配置される。
【００３８】
［ＬＵＴの内容］
図７は、実施形態におけるＬＵＴを説明する図である。図７（ａ）はＬＵＴ（Ａ）３１を示し、図７（ｂ）はＬＵＴ（Ｂ）３２を示している。いずれも、階調レベルが「５０」〜「８０」の部分を抜き出したものを記載している。ＬＵＴ（Ａ）３１およびＬＵＴ（Ｂ）３２は、ビットｃ１、ｃ２、・・・、ｃ１６の１６ビットにより構成され、前半のビットｃ１からｃ８の８ビットは、１フレーム中の第１、第３ブロックにおけるＳＦ１、ＳＦ２、・・・ＳＦ８の画素１１０の駆動内容を表し、後半のビットｃ９からｃ１６は、第２、第４ブロックにおけるＳＦ１、ＳＦ２、・・・ＳＦ８の画素１１０の駆動内容を表す。そのため、例えば、ビットｃ１とｃ９とは、対応するサブフィールドの時間が同じである。その他の関係、例えば、ビットｃ８とｃ１６との関係などについても、対応するサブフィールドの時間が同じになるという関係は同様である。このように、ＬＵＴは、階調レベルと各ビットにより表されるＳＦコードとの対応関係を規定する。
【００３９】
ＬＵＴは、後述する一部の例外を除き原則として、階調レベルが上がるほど、１フレーム中に画素１１０がオンとして駆動される明状態の時間（以下、オン時間という）が長くなるように、各ビットを規定している。一部の階調レベルについては、隣接する低い側の階調レベルから変化した場合のＳＦコードの変化において、「０」から「１」に変化したビットのうち最も長い時間のサブフィールドが、変化後のＳＦコードの「１」のビットのうち最も長い時間のサブフィールドと一致する関係を満たしている。例えば、図７（ａ）に示す範囲のＬＵＴ（Ａ）３１においては、一部の階調レベルは、「５６」、「６５」、「７８」である。以下、このような関係を満たす階調レベルを最大重み変化部という。
【００４０】
ここで、階調レベルが「５６」の場合には、「５５」からのＳＦコードの変化において、ビットｃ８、ｃ１１が「０」から「１」に変化しているが、最も長い時間のサブフィールドは、ビットｃ１１に対応するＳＦ３である。一方、変化後のＳＦコードの「１」のビットのうち最も長い時間のサブフィールドもＳＦ３（ビットｃ３、ｃ１１）であり一致している。
【００４１】
ＬＵＴ（Ｂ）３２においては、最大重み変化部は、ＬＵＴ（Ａ）３１における場合と異なる階調レベルになるように決められ、この例においては階調レベルが「１」大きくなるように決められている。すなわち、ＬＵＴ（Ｂ）３２における最大重み変化部は、「５７」、「６６」、「７９」である。したがって、ＬＵＴ（Ａ）３１またはＬＵＴ（Ｂ）３２の最大重み変化部に対応する階調レベルについて、ＬＵＴ（Ａ）３１とＬＵＴ（Ｂ）３２とは、ＳＦコードが異なっている。なお、この例においては、それ以外の階調レベルにおいても、ＬＵＴ（Ａ）３１とＬＵＴ（Ｂ）３２とにおいてＳＦコードが異なるものがあるが、これは、ディザリングを用いて階調制度を向上させるためのものである。そのため、最大重み変化部に対応する階調レベル以外は、ＬＵＴ（Ａ）３１とＬＵＴ（Ｂ）３２とでＳＦコードが同じであってもよい。
【００４２】
図８は、実施形態における最大重み変化部の特徴を説明する図である。図８においては、ＬＵＴ（Ａ）３１の最大重み変化部のうち階調レベル「６５」と、ＬＵＴ（Ｂ）３２の最大重み変化部のうち階調レベル「６６」と、これらに隣接する階調レベル「６４」、「６７」との部分を抽出して、その特徴を詳細に示したものである。
合計オン時間（明状態の時間）は、上述したように、画素１１０がオンに駆動されるサブフィールドの時間を合計したものであり、図８に示す例においては、第１、第２ブロックにおけるサブフィールドの時間を合計したものである。そのため、１フレームで考えると値を２倍にする必要がある。
【００４３】
上述したように、最大重み変化部となる階調レベルは、ＬＵＴ（Ａ）３１とＬＵＴ（Ｂ）３２とでは異なっている。そのため、階調レベルが「６４」から「６５」に変化した場合に、ＬＵＴ（Ａ）３１において「０」から「１」に変化するビットｃ２は、ＬＵＴ（Ｂ）３２において変化しないようになっている。そのため、ＬＵＴ（Ｂ）３２においては、ＬＵＴ（Ａ）３１の場合に比べてＳＦ２に相当する時間だけ合計オン時間が減少することになるが、減少した分の時間については、より時間が短いＳＦ３〜ＳＦ８におけるビットｃ３〜ｃ８、ｃ１１〜ｃ１６の調整により増加させている。例えば、階調レベル「６５」においては、ＬＵＴ（Ａ）３１のＳＦコードに対して、ＬＵＴ（Ｂ）３２のＳＦコードが、ビットｃ４、ｃ５、ｃ６を「０」から「１」に、ビットｃ８、ｃ１６を「１」から「０」に調整することで、合計オン時間が調整されている。これにより、ＬＵＴ（Ａ）３１における合計オン時間と、ＬＵＴ（Ｂ）３２における合計オン時間とは、同じ階調レベルであれば、略等しくなっている。なお、これらの合計オン時間は同一でなくてもよく、一定程度ずれていてもよい。ただし、一定範囲の画素１１０に対して同一の階調レベルを指定したときに、画素１１０Ａと画素１１０Ｂとの表示が市松模様に見えるなど表示上の影響を考えると、ＬＵＴ（Ａ）３１における合計オン時間とＬＵＴ（Ｂ）３２における合計オン時間との差が、これらの合計オン時間の和の１０％以内であることが望ましい。
【００４４】
また、一方のＬＵＴにおける最大重み変化部となる階調レベルに対応するＳＦコードのうち「１」のビットとなる最も長い時間のサブフィールドにおいて、他方のＬＵＴにおける同一の階調レベルに対応するＳＦコードのビットが「０」となる場合（以下、この場合の階調レベルを特定の階調レベルという。例えば、階調レベル「６５」）においては、以下のように各ＳＦコードが決められている。ここでは、ＬＵＴ（Ａ）３１およびＬＵＴ（Ｂ）３２において、上記の特定の階調レベルの合計オン時間が、隣接する高い側の階調レベルの合計オン時間よりも長くなるように、ＳＦコードが決められている。
なお、上記の特定の階調レベルの合計オン時間は、この条件を満たす場合に限らず、隣接する低い側の階調レベルの合計オン時間と隣接する高い側の階調レベルの合計オン時間との平均よりも長くなるように、ＳＦコードが決められていてもよい。また、必ずしも、このように合計オン時間が長くなるように調整されていなくてもよい。
【００４５】
横電界発生時間は、隣接する階調レベル（例えば、図中の「６４−６５」は隣接する階調レベル「６４」、「６５」を示す）のＳＦコードを比較したときに、異なるビットに対応するサブフィールドの時間を合計したものである。例えば、ＬＵＴ（Ａ）３１における「６４−６５」の横電界発生時間は、隣接する画素１１０の双方にＬＵＴ（Ａ）３１が適用された場合に、一方の画素１１０に階調レベル「６４」が指定され、他方の画素１１０に階調レベル「６５」が指定された場合にこれらの画素１１０間に生じる横電界の発生時間を示している。すなわち、第１（第３）ブロックのＳＦ２、ＳＦ４、ＳＦ６、第２（第４）ブロックのＳＦ８において、隣接する画素１１０の間に横電界が発生することになるから、横電界発生時間は、０．９０＋０．５０＋０．２０＋０．０５＝１．６５ｍｓとなる。
なお、図８に示す例においては、第１、第２ブロックにおけるサブフィールドを対象として横電界発生時間を算出しているため、１フレームで考えると値を２倍にする必要がある。
【００４６】
Ｄリスクは、ディスクリネーションの表示への影響が視認されるリスクを示すパラメータであって、合計オン時間に対する横電界発生時間の割合として算出される。ここでの合計オン時間は、隣接する階調レベルのうち、高い側の階調レベルについての合計オン時間を用いる。例えば、「６４−６５」については、Ｄリスク算出に用いる合計オン時間は階調レベルが「６５」の合計オン時間を用いる。Ｄリスクは、２０％を超えるとディスクリネーションの表示への影響が視認されるリスクが高まる。
【００４７】
そのため、Ｄリスクが２０％を超える隣接階調レベルのうち高い側の階調レベルを上述した最大重み変化部に相当するものとしてもよい。この場合、ＬＵＴ（Ａ）３１とＬＵＴ（Ｂ）３２とでは、最大重み変化部がそれぞれ異なる階調レベルとなるように決められていればよい。なお、ディスクリネーションの表示への影響が視認されるリスクが高まるとされる２０％は一例であって、表示階調や表示パネルの組み立て条件などにより変化するものである。例えば、透過率（１フレームの時間における合計オン時間の割合に対応）が２０％以下の低階調レベルでは、ディスクリネーションの表示への影響が現れるＤリスクが４０％以上に緩和される。また、表示パネルの液晶層の厚みを小さくすることで、ディスクリネーションの表示への影響を現れ難くすることができる。すなわち、ディスクリネーションの表示に与える影響により２０％以外の値として決められていてもよい。
【００４８】
［駆動動作］
続いて、画素１１０を駆動するときの各構成の動作について、再び図２、図３、図４を参照しながら説明する。
ＳＦコード変換部１３は、画質調整部１２から供給される映像信号ＤａをＳＦコードに変換する。このとき、ＳＦコード変換部１３は、映像信号Ｄａのうち、画素１１０Ａについて指定された階調レベルについては、ＬＵＴ（Ａ）３１を参照してＳＦコードに変換し、画素１１０Ｂについて指定された階調レベルについては、ＬＵＴ（Ｂ）３２を参照してＳＦコードに変換する。そして、ＳＦコード変換部１３は、各色に対応して映像信号Ｄａを変換したＳＦコードＳｃｒ、Ｓｃｇ、Ｓｃｂをメモリー制御部１４に出力し、メモリー制御部１４によってメモリー１５に書き込まれる。
例えば、映像信号Ｄａにおいて、ある画素１１０Ａに指定された階調レベルが「６６」である場合には、ＬＵＴ（Ａ）３１における階調レベル「６６」に対応するＳＦコードは、ビットｃ１からｃ１６に対応する「０１１０００００００１１１１１０」を２回繰り返した３２ビットのコードとして変換され、メモリー制御部１４によってメモリー１５に書き込まれる。
【００４９】
一方、タイミング制御回路１１は、入力される同期信号Ｓｙｎｃに基づいて、制御信号Ｘｃｔ、Ｙｃｔを駆動回路１６Ｒ、１６Ｇ、１６Ｂに供給する。制御信号Ｙｃｔは、上述したように、垂直同期信号Ｖｓｙｎｃ、スタートパルスＤｙおよびスタートパルスＤｙを転送するためのクロック信号が含まれ、走査線駆動回路１６１に供給される。走査線駆動回路１６１は、上記クロック信号にしたがってスタートパルスＤｙを転送するなどにより操作信号Ｇ１、Ｇ２、・・・、Ｇ１０８０を出力する。これにより、各走査線１１２は、スタートパルスＤｙによって規定されたサブフィールドの期間に対応して選択、非選択が繰り返される。
【００５０】
データ線駆動回路１６２へのＳＦビットＳｂｒ、Ｓｂｇ、Ｓｂｂの供給については、メモリー制御部１４がタイミング制御回路１１による制御にしたがって、各行の走査線の選択前に、各行の１〜１９２０列の画素１１０に対応した１行分のＳＦビットＳｂｒ、Ｓｂｇ、Ｓｂｂを読み出すことによって行われる。
メモリー制御部１４は、読み出したＳＦコードＳｃｒのいずれかの１ビットを、現時点における表示パネル１００Ｒの駆動タイミング（サブフィールド）に応じて選択して出力する。また、メモリー制御部１４は、読み出したＳＦコードＳｃｇのいずれかの１ビットを、現時点における表示パネル１００Ｇの駆動タイミング（サブフィールド）に応じて選択して出力し、読み出したＳＦコードＳｃｂのいずれかの１ビットを、現時点における表示パネル１００Ｂの駆動タイミング（サブフィールド）に応じて選択して出力する。
なお、タイミング制御回路１１は、垂直同期信号Ｖｓｙｎｃで規定されるフレームにおけるスタートパルスＤｙの出力回数を、現時点における表示パネル１００のサブフィールドを示す情報としてメモリー制御部１４に供給する。これにより、メモリー制御部１４は、現時点における表示パネル１００の駆動タイミング（サブフィールド）を知ることができる。
【００５１】
ある行の走査線が走査線駆動回路１６１によって選択される前に、メモリー１５から当該行のＳＦコードＳｃｒ、Ｓｃｇ、Ｓｃｂが読み出されて、ＳＦビットＳｂｒ、Ｓｂｇ、Ｓｂｂがデータ線駆動回路１６２に供給される。このため、データ線駆動回路１６２には、当該走査線の選択前において、当該走査線に対応する１〜１９２０列の画素に対応し、かつ、当該選択において書き込むべきサブフィールドに対応したＳＦビットＳｂｒ、Ｓｂｇ、Ｓｂｂが供給されていることになる。
表示パネル１００Ｒ、１００Ｇ、１００Ｂのデータ線駆動回路１６２は、当該１行分のＳＦビットを、制御信号Ｘｃｔに含まれる極性指定信号Ｆｒｐによって指定された極性のオンレベルまたはオフレベルのデータ信号に変換するとともに、当該行の走査線が選択されたときに、データ信号を１〜１９２０列のデータ線１１４に供給する。
【００５２】
当該行の走査線が選択されたとき、データ線１１４に供給されたデータ信号は、当該行に対応するＴＦＴ１１６が導通状態となることによって液晶素子１２０の画素電極１１８に印加され、これにより、当該液晶素子１２０は、指定された極性でオンまたはオフに駆動されることになる。
なお、当該走査線の選択が終了すると、ＴＦＴ１１６が非導通状態となるが、液晶素子１２０は、ＴＦＴ１１６の導通状態であったときに画素電極１１８に印加された電圧を、液晶素子の容量性および補助容量１２５によって保持するため、次回走査線が再び選択されるまで、オンまたはオフ駆動の状態に維持される。
【００５３】
このような動作が１つのサブフィールドにおいて１〜１０８０行目について順番に実行される。さらに、この１つサブフィールドの動作が１フレームにおいてサブフィールドＳＦ１〜ＳＦ８の順番に４回繰り返して実行される。
これにより、各画素は、各サブフィールドにおいて、ＳＦビットに応じてオンまたはオフ駆動され、１フレームを単位期間としてみたときの平均的な透過率は、階調レベルに応じた値となって、これにより階調が表現されることになる。
【００５４】
［表示例］
図９は、実施形態におけるディスクリネーションの発生態様を説明する図である。図９においては、表示パネル１００の一定範囲の１６個の画素１１０において、左半分の画素１１０には階調レベル「６４」が指定され、右半分の画素１１０には階調レベル「６５」が指定された場合の表示例を示す。図９（ａ）は、従来例のように、ＬＵＴを使い分けない場合、例えば、ＬＵＴ（Ａ）３１のみを参照して画素１１０が駆動されている場合を示している。図中の「６４」、「６５」は、各画素１１０に指定された階調レベルを示している。図９（ｂ）は、本発明の実施形態のように、画素１１０ＡはＬＵＴ（Ａ）３１を参照して駆動され、画素１１０ＢはＬＵＴ（Ｂ）３２を参照して駆動された場合を示している。図中の「６４Ａ」、「６４Ｂ」は、階調レベルが「６４」に指定された画素１１０Ａ、１１０Ｂを示し、「６５Ａ」、「６５Ｂ」は、階調レベルが「６５」に指定された画素１１０Ａ、１１０Ｂを示している。
【００５５】
従来例においては、図９（ａ）に示すように、階調レベル「６４」と「６５」との境界においては、Ｄリスクが高くなり、直線状のディスクリネーションＤＡが発生する。一方、本発明の実施形態においては、図９（ｂ）に示すように、「６４Ｂ」と「６５Ａ」との境界、および「６５Ａ」と「６５Ｂ」との境界においてディスクリネーションＤＡが発生する。このように、本発明の実施形態においては、従来例に比べて、隣接階調レベルとなる部分に集中していたディスクリネーションＤＡを空間的に拡散することにより、目立たなくして表示への影響を低減することができる。
【００５６】
また、図９（ｂ）に示すように、階調レベルが「６５」に指定された領域（特定の階調レベルに指定された領域）においては、ほぼ全域にわたってディスクリネーションＤＡが発生するため、ディスクリネーションＤＡが発生しない場合に比べて透過率が減少する。ここで、上述したように、一方のＬＵＴにおける最大重み変化部となる階調レベルに対応するＳＦコードのうち「１」のビットとなる最も長い時間のサブフィールドにおいて、他方のＬＵＴにおける同一の階調レベルに対応するＳＦコードのビットが「０」となる場合、すなわち、特定の階調レベルにおいては、合計オン時間が長くなるように規定されている。図８にも示したように、階調レベル「６５」は、合計オン時間が長くなるように規定される対象であるから、ディスクリネーションＤＡの発生により減少した透過率を合計オン時間の増加により相殺して、本来の階調レベルに近い透過率として表示させることができる。
【００５７】
＜変形例＞
以上、本発明の実施形態について説明したが、本発明は以下のように、さまざまな態様で実施可能である。
【００５８】
［変形例１］
上述した実施形態において、１フレーム毎に画素１１０を駆動する際に参照するＬＵＴを切り替えるようにしてもよい。この場合には、画素１１０Ａと画素１１０Ｂとの位置関係が１フレーム毎に変化するようにＳＦコード変換部１３は、参照するＬＵＴを決定すればよい。
【００５９】
図１０は、変形例１におけるディスクリネーションの発生態様を説明する図である。図１０（ａ）は、奇数番目のフレームにおけるディスクリネーションＤＡの発生態様であり、図１０（ｂ）は、偶数番目のフレームにおけるディスクリネーションＤＡの発生態様である。このように、フレーム毎にディスクリネーションＤＡの位置が変化し、時間的にも拡散されることにより目立たなくすることで表示への影響を低減することができる。
なお、１フレーム毎に切り替えるのではなく、複数フレーム毎に切り替えるようにしてもよい。
【００６０】
［変形例２］
上述した実施形態においては、画素１１０Ａと画素１１０Ｂとは図６に示すように、市松状に配置されていたが、別の態様で配置されていてもよい。
【００６１】
図１１は、変形例２における各画素１１０に適用されるＬＵＴを説明する図である。図１１（ａ）に示すように、ＬＵＴ（Ａ）３１が適用される画素１１０Ａと、ＬＵＴ（Ｂ）３２が適用される画素１１０Ｂとは、それぞれ同数での配置に限らず、いずれかが多く配置されていてもよい。すなわち、少なくとも１つの画素１１０が他の画素１１０と異なるＬＵＴが適用されるようになっていればよい。また、図１１（ｂ）に示すように、画素１１０Ａと画素１１０Ｂとは、ランダムに配置されていてもよい。このとき、一定範囲における画素１１０Ａと画素１１０Ｂの数が同数になるように配置されていてもよい。
このように、画素１１０Ａと画素１１０Ｂとが分散配置され、ディスクリネーションが空間的に拡散するようになっていればよい。
【００６２】
［変形例３］
上述した実施形態においては、ＬＵＴ（Ａ）３１の最大重み変化部とＬＵＴ（Ｂ）３２の最大重み変化部とは、隣接した階調レベルになっていたが、２以上離れた階調レベルに決められていてもよい。
【００６３】
［変形例４］
上述した実施形態においては、ＬＵＴは、ＬＵＴ（Ａ）３１とＬＵＴ（Ｂ）３２との２つのＬＵＴを用いていたが、３以上のＬＵＴを用いてもよい。
【００６４】
［変形例５］
上述した実施形態においては、１フレームは、８のサブフィールドを１周期とした４つのブロックにより構成されていたが、これに限られず、より多くのブロックにより構成されていてもよいし、１つのブロックで構成されていてもよい。ここで、ＬＵＴによって規定されているＳＦコードが複数のブロックのサブフィールドについて、ＳＦコードとして規定されている場合には、実施形態においても示されているように、階調レベルが隣接する高い側の階調レベルに変化したときに、各ブロックにおける長い時間のサブフィールドが同時にオフからオンに変化しないようにしてもよい。このようにすると、Ｄリスクを減少させディスクリネーションの表示に与える影響を低減することもできる。
【００６５】
［変形例６］
上述する実施形態においては、１フレームは、３２のサブフィールドにより構成されていたが、この数に限られない。また、ＬＵＴにより規定されているＳＦコードは、１６ビットであったが、このビット数に限られるものではない。
【００６６】
［変形例７］
上述する実施形態においては、表示パネル１００は透過型であったが、反射型であってもよい。さらに、ノーマリーブラックモードでの駆動に限られず、ノーマリーホワイトモードでの駆動であってもよい。ここで、ノーマリーホワイトモードでの駆動としたとき、オンレベルとは、液晶素子１２０に電圧を印加して暗状態にさせるデータ信号をいい、オフレベルとは、液晶素子１２０を明状態にさせるデータ信号をいう。なお、ノーマリーホワイトモードでの駆動とした場合には、上記ＬＵＴのＳＦコードについて各ビットの「１」と「０」とを反転させればよい。すなわち、実施形態（ノーマリーブラックモード）における明状態の時間であるオン時間は、ノーマリーホワイトモードにおける明状態の時間は、オフ時間に対応する。ただし、単に各ビットの「１」、「０」を反転させるのではなく、以下の点については、ＳＦコードの内容が変化する。
【００６７】
横電界の影響により、画素に対して十分なオン電圧が印加されないことで、ディスクリネーションが発生する。したがって、ノーマリーホワイトモードにおいてディスクリネーションが発生した場合には、ディスクリネーションが発生しない場合と比較して透過率が増加する。そのため、一定範囲の画素１１０に特定の階調レベルが指定された場合に生じるディスクリネーションに起因して増加した透過率については、ノーマリーブラックモードと同様にして相殺すればよい。すなわち、実施形態に示したノーマリーブラックモードの場合、特定の階調レベルにおいて、合計オン時間を増加させて明状態となる時間を増加させ、ディスクリネーションに起因する透過率の減少分を相殺していた。一方、ノーマリーホワイトモードの場合、特定の階調レベルにおいて、合計オン時間を増加させて暗状態となる時間を増加させ、ディスクリネーションに起因する透過率の増加分を相殺すればよい。このようにして、ノーマリーホワイトモードであっても、本来の階調レベルに近い透過率として表示させることができる。
【００６８】
［変形例８］
上述した実施形態においては、１ブロックにおけるサブフィールドの時間はそれぞれ異なるものとなっていたが、その一部が同じ時間であってもよく、少なくとも１つのサブフィールドの時間が、他のサブフィールドの時間と異なる長さであればよい。
【００６９】
［変形例９］
上述する実施形態においては、表示パネル１００は、プロジェクター２０００に用いられる構成として説明したが、直視型の液晶ディスプレイに用いられてもよい。すなわち、液晶素子を用いた電気光学装置として機能するものであれば、どのようなものにも適用可能である。また、この電気光学装置を様々な電子機器に用いることもできる。電子機器としては、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【符号の説明】
【００７０】
１０…コントローラー、１１…タイミング制御回路、１２…画質調整部、１３…ＳＦコード変換部、１４…メモリー制御部、１５…メモリー、１６Ｒ，１６Ｇ，１６Ｂ…駆動回路、１００Ｒ，１００Ｇ，１００Ｂ…表示パネル、１０５…液晶、１０８…コモン電極、１１０…画素、１１２…走査線、１１４…データ線、１１５…容量線、１１６…ＴＦＴ、１１８…画素電極、１２０…液晶素子、１２５…補助容量、１６１…走査線駆動回路、１６２…データ線駆動回路、２０００…プロジェクター、２２０…ランプユニット、２３０１…ダイクロイックミラー、２３０２…ミラー、２３０３…第１マルチレンズ、２３０４…第２マルチレンズ、２３０５…偏光変換素子、２３０６…重畳レンズ、２３０７…レンズ、２３０８…集光レンズ、２４０…ダイクロイックプリズム、２５０…投射レンズ、２６０…検出部、３０００…スクリーン
【図１】
2012226041.tif 000003
【図２】
2012226041.tif 000004
【図３】
2012226041.tif 000005
【図４】
2012226041.tif 000006
【図５】
2012226041.tif 000007
【図６】
2012226041.tif 000008
【図７】
2012226041.tif 000009
【図８】
2012226041.tif 000010
【図９】
2012226041.tif 000011
【図１０】
2012226041.tif 000012
【図１１】
2012226041.tif 000013